(57)【要約】【課題】きものの衿元等に多数の宝石等を、その美しさを損なわないように整然と配列させることができる宝飾品である和服用装身具を提供する。【解決手段】和服用装身具１０は、それぞれに宝石１１が固定された金属製の複数の固定枠１２と、固定枠１２を線状に連結させるために、各固定枠１２の端部に設けられた連結具１３と、連結された固定枠１２のうちの少なくとも両端の固定枠１２に設けられた、固定枠１２を襦袢に固定するための固定ピン１４とを備えた宝飾品である。線状に連なった金属製の固定枠１２のそれぞれに宝石１１が固定されているため、各宝石１１がふらつかず、それらの規則的な配列が維持される。また、固定枠１２の下部側面から宝石１１の下部に外光が十分に入射するため、適切にカットされた透明な宝石１１がきらびやかに輝く。これらにより、きものの衿元をより一層優美に見せることができる。【選択図】図１
0003145208.tif 000002
【実用新案登録請求の範囲】
【請求項１】
a)それぞれに装飾部材が固定された金属製の複数の固定枠と、
b)前記固定枠を線状に連結させるために、各固定枠の端部に設けられた連結具と、
c)連結された前記固定枠のうちの少なくとも両端の固定枠に設けられた、該固定枠を着物に固定するための固定ピンと、
を備えることを特徴とする和服用装身具。
【請求項２】
少なくとも前記両端の固定枠の裏面又は側面に、前記固定枠の連結方向に帯締めを通すための帯締め通し枠が設けられていることを特徴とする請求項１に記載の和服用装身具。
【請求項３】
１つ若しくは複数の前記固定枠の裏面及び／又は１つ若しくは複数の前記帯締め通し枠の着物と接する面に、ゴム製の滑り止め部材が取り付けられていることを特徴とする請求項１又は２に記載の和服用装身具。
【考案の詳細な説明】
【技術分野】
【０００１】
本考案は、きものの衿元等に取り付けられる和服用装身具に関する。
【背景技術】
【０００２】
女性用のきものでは、衿元に華やかさを添えるために、伊達衿を用いることが広く行われている。伊達衿は、その縁が見えるようにきものの衿の裏に留められる。
【０００３】
衿元をより華やかにするために、特許文献１では、帯状の布地の一方の縁に多数の宝石を固定し、宝石が固定されていない部分の布地をきものの衿の内側に挟み込むことが提案されている。これにより、きものの衿に沿って多数の宝石が並び、衿元がきらびやかになる。ただし、このような装飾品は、きものの衿の下に挟み込まれて固定されるものであり、きもの用のネックレスに相当するものではない。
【０００４】
【特許文献１】特開2006-132061号公報
【考案の開示】
【考案が解決しようとする課題】
【０００５】
上記布地に固定される宝石は、その宝石に空けられた貫通孔に糸が通されて布地に縫い付けられる。このような宝石の固定方法では各宝石がふらつきやすい。そのため、布地上で宝石を規則的に配列させてもその配列は容易に乱れてしまい、見るものに粗雑な印象を与えやすい。また、宝石の下部が布地に埋もれてしまい、そこから外光を取り込むことができないため、適切にカットされた透明な宝石の美しさを十分に引き出すことができない。
【０００６】
本考案は上述したような問題を解決するために成されたものであり、その目的は、きものの衿に沿って多数の宝石等を、その美しさを損なわないように整然と配列させることができる和服用装身具を提供することである。
【課題を解決するための手段】
【０００７】
上記課題を解決するために成された本考案に係る和服用装身具は、
a)それぞれに装飾部材が固定された金属製の複数の固定枠と、
b)前記固定枠を線状に連結させるために、各固定枠の端部に設けられた連結具と、
c)連結された前記固定枠のうちの少なくとも両端の固定枠に設けられた、該固定枠を着物に固定するための固定ピンと、
を備えることを特徴とする。
【０００８】
前記装飾部材としては、ガーネットやエメラルド、琥珀、真珠等のような宝石の他、貴金属やガラス、七宝焼等の装飾性に優れるものを用いてもよい。
【０００９】
和服用装身具は、使用者の肩あたりと衿の重なり部あたりに対応する位置の襦袢に前記固定ピンで留められることが望ましい。これにより、複数の装飾部材がきものの衿に沿って配置される。
【考案の効果】
【００１０】
本考案に係る和服用装身具によれば、線状に連なった金属製の固定枠のそれぞれに装飾部材が固定されているため、各装飾部材がふらつかず、それらの規則的な配列が維持される。また、固定枠の下部側面から装飾部材の下部に外光が十分に入射するため、適切にカットされた透明な装飾部材がきらびやかに輝く。これらにより、きものの衿元をより一層優美に見せることができる。
【考案を実施するための最良の形態】
【００１１】
以下、図面に基づき、本考案に係る和服用装身具の実施例について説明する。
【実施例１】
【００１２】
図１に、本考案の第１の実施例に係る和服用装身具１０の平面図を示す。和服用装身具１０は、縦横２個ずつ計４個の宝石１１がそれぞれに固定された複数の固定枠１２と、各固定枠１２を線状に連結させるために各固定枠１２の端部に設けられた複数の連結具１３と、連結された固定枠１２のうちの両端のものに設けられた２本の固定ピン１４とを備える。本実施形態の和服用装身具１０は固定枠１２が２０個連なったものであるが、その個数は適宜変更してもよい。
【００１３】
図２に、１つの固定枠１２の斜視図を示す。固定枠１２は金属製のフレームであり、縦横ともに約10mmである。その上部からは、縦横に３本ずつ計９本の留め部１５が突出しており、それらにより４個の宝石１１の各上部の四隅が押さえられている。固定枠１２にはプラチナやホワイトゴールド等の貴金属を用いることが望ましい。本実施形態の宝石１１は多面体にカットされたガーネットであり、固定枠１２の下部側面から宝石１１の下部に外光が入射する。
【００１４】
固定枠１２の正面には、金属製のフックである２個の連結具１３が取り付けられている。連結具１３は、本実施例では長手方向に切れ込みを有し断面がＣ型となる円筒状のジョイント部材であるが、隣接する固定枠を連結することができるものであれば、環状のものや断面がコの字型のもの等であっても構わない。この連結具１３を、隣接する固定枠１２下部のフレーム部分に嵌めることにより、隣り合う固定枠１２同士を連結させる。
【００１５】
図３（ａ）は固定枠１２の正面図、図３（ｂ）は同側面図、図３（ｃ）は同背面図である。なお、これらの図では連結具１３は省略している。固定枠１２の下面には、固定枠１２の連結方向に帯締めを通すための帯締め通し枠１６が設けられている。帯締め通し枠１６は、全ての固定枠１２の下面に設けることが望ましいが、連結された固定枠１２のうちのいくつか（例えば一つ置き）に設けたり、両端の固定枠１２だけに設けたりしてもよい。本実施形態では、帯締め通し枠１６と固定枠１２を合わせた厚さは約9mmである。帯締め通し枠１６は、帯締めを通すことができるものであれば、断面がＵ字型のものであったり、その一部に帯締めが抜けない程度の切れ込みがあるもの等であってもよい。
【００１６】
帯締め通し枠１６の下面には、シリコーンゴム製の滑り止め部材１７が取り付けられている。滑り止め部材１７は、全ての帯締め通し枠１６に取り付けることが望ましいが、それらのうちの一部だけに取り付けてもよい。なお、帯締め通し枠１６が設けられていない固定枠１２がある場合には、固定枠１２の裏面に直接滑り止め部材１７を取り付けてもよい。
【００１７】
図１に示したとおり、連結された固定枠１２のうちの両端のものには、固定ピン１４が設けられており、それらは固定枠１２の端部に設けられた半円環状の金具１８に取り付けられている。図４に固定ピン１４の側面図を示す。固定ピン１４の一端はカニ爪型のフック１４１になっており、そのフック１４１により固定ピン１４を金具１８に着脱することができる。固定ピン１４の他端は針になっており、その針先には保護キャップ１４２が被せられている。
【００１８】
上記のような和服用装身具１０の第１の使用例は、図５（ａ）に示すように、きものの一方の衿に沿って配置することである。和服用装身具１０は、使用者の肩あたりと衿の重なり部あたりに対応する位置の襦袢に固定ピン１４で留められる。これにより、各宝石１１がきものの衿に沿って整然と配置される。固定枠１２の裏面には滑り止め部材１７が設けられているため、固定枠１２が襦袢の上で移動しようとすると、その移動を妨げる大きな摩擦力が発生する。そのため、きものを着た使用者が普通に動く程度であれば、固定枠１２が横にずれることがない。
【００１９】
和服用装身具１０の第２の使用例は、図５（ｂ）に示すように、きものの帯に配置することである。この使用例では、各固定枠１２の帯締め通し枠１６に帯締めを通しておき、その帯締めを帯の上に締める。このとき、固定ピン１４は金具１８から外しておく。
【００２０】
いずれの例でも、線状に連なった金属製の固定枠１２のそれぞれに宝石１１が固定されているため、各宝石１１がふらつかず、それらの規則的な配列が維持される。また、固定枠１２の下部側面から宝石１１の下部に外光が十分に入射するため、その光によって宝石１１がきらびやかに輝く。
【実施例２】
【００２１】
図６に、本考案の第２の実施例に係る和服用装身具２０の構成及び使用例を示す。和服用装身具２０は、実施例１の和服用装身具１０と同様に、宝石がそれそれに固定された複数の固定枠が連結具によって線状に連結された宝飾品（ジュエリー）である。図６では、和服用装身具２０の両端に設けられたコの字型の帯締め通し枠２６に帯締めが通されて、帯締めとともに帯の上に固定されている。
【００２２】
図７（ａ）は図６における複数の固定枠の左端に位置する左固定枠２２１の平面図であり、図７（ｂ）は同右端に位置する右固定枠２２２の平面図であり、図７（ｃ）は左固定枠２２１と右固定枠２２２の間に位置する複数の中間固定枠２２３のうちの一つの平面図である。左固定枠２２１の左側面及び右固定枠２２２の右側面には、上記のとおり帯締め通し枠２６が設けられている。左固定枠２２１及び中間固定枠２２３の右側面には、金属製のジョイント部材である連結具２３が２個ずつ設けられている。本実施例の連結具２３は、図８に示すように、実施例１と同様のＣ型の金属製のフックである。左固定枠２２１、右固定枠２２２及び中間固定枠２２３の各下面には、シリコーンゴム製の滑り止め部材２７が取り付けられている。
【００２３】
このような各固定枠が連結した和服用装身具２０は、実施例１の和服用装身具１０とは異なり、帯締め通し枠２６が固定枠の下方に突出していない。これにより、和服用装身具２０の厚さが全体的に薄くなり、より美しくみえる。また、左固定枠２２１及び右固定枠２２２にのみ帯締め通し枠２６が設けられ中間固定枠２２３には帯締め通し枠２６が設けられていないが、中間固定枠２２３の下面には滑り止め部材２７が取り付けられており、その滑り止め部材２７が帯締めに密着しているため、使用中に中間固定枠２２３が帯締め上で大きくずれることがない。なお、和服用装身具２０は実施例１と同様に、きものの衿に沿って配置することもできる。このときは、帯締め通し枠２６に固定ピンのカニ爪型のフックを掛け、その固定ピンを用いて襦袢に留めればよい。
【００２４】
本考案は上記実施形態に限定されるものではなく、本考案の趣旨の範囲で適宜変更が許容される。例えば、固定ピンを両端の固定枠だけでなく、それらの間の固定枠に取り付けてもよい。両端の固定枠に設けられた各金具を連結して、和服用装身具を環状にし、それをネックレスやブレスレットとして使用してもよい。１つの固定枠に取り付けられる宝石の種類や数、配置等を、デザインやきものの衿の長さ等に応じて適宜変更してもよい。連結具は、各固定枠に１個ずつ又は３個以上ずつ設けられていてもよい。
【図面の簡単な説明】
【００２５】
【図１】本考案の実施例１に係る和服用装身具の平面図。
【図２】該和服用装身具の１つの固定枠の斜視図。
【図３】該固定枠の構成を示す図であり、（ａ）は固定枠の正面図、（ｂ）は同側面図、（ｃ）は同背面図である。
【図４】固定ピンの側面図。
【図５】和服用装身具の使用例を示す図であり、（ａ）は衿に沿って配置する例であり、（ｂ）は帯に配置する例である。
【図６】本考案の実施例２に係る和服用装身具の構成及び使用例を示す図。
【図７】該和服用装身具の固定枠の構成を説明するための図であり、（ａ）は左固定枠の平面図、（ｂ）は右固定枠の平面図、（ｃ）は中間固定枠の平面図である。
【図８】該和服用装身具の中間固定枠の斜視図。
【符号の説明】
【００２６】
１０、２０…和服用装身具
１１…宝石
１２…固定枠
１３、２３…連結具
１４…固定ピン
１４１…カニ爪型フック
１４２…保護キャップ
１５…留め部
１６、２６…帯締め通し枠
１７、２７…滑り止め部材
１８…金具
２２１…左固定枠
２２２…右固定枠
２２３…中間固定枠
【図１】
0003145208.tif 000003
【図２】
0003145208.tif 000004
【図３】
0003145208.tif 000005
【図４】
0003145208.tif 000006
【図５】
0003145208.tif 000007
【図６】
0003145208.tif 000008
【図７】
0003145208.tif 000009
【図８】
0003145208.tif 000010